(57)【要約】【課題】様々なスプレー缶の形状に対する適応、スプレー缶の取付角度の調整を可能としたスプレー缶固定具を提供する。【解決手段】利用者により操作される操作棒２の一端側にスプレー缶Ｓを固定する缶固定手段５、前記操作棒２の他端側からの操作により前記スプレー缶Ｓの噴射ボタン４１を押圧可能にする噴射ボタン押圧手段１０、前記噴射ボタン押圧手段１０の前記噴射ボタンと当接する部分の位置を変更可能にするボタン位置調整手段１３、前記缶固定手段５により前記操作棒２に固定される前記スプレー缶Ｓと該操作棒２とのなす角度を変更可能にする角度調整手段１６、前記缶固定手段５により前記操作棒２に固定される前記スプレー缶Ｓの該操作棒２の長手方向への位置変更を可能にする高さ調整手段１９を具備する。【選択図】図１
2007275028.tif 000002
【特許請求の範囲】
【請求項１】
利用者により操作される操作棒の一端側にスプレー缶を固定する缶固定手段、
前記操作棒の他端側からの操作により前記スプレー缶の噴射ボタンを押圧可能にする噴射ボタン押圧手段、
前記噴射ボタン押圧手段の前記噴射ボタンと当接する部分の位置を変更可能にするボタン位置調整手段、
前記缶固定手段により前記操作棒に固定される前記スプレー缶と該操作棒とのなす角度を変更可能にする角度調整手段、
前記缶固定手段により前記操作棒に固定される前記スプレー缶の該操作棒の長手方向への位置変更を可能にする高さ調整手段、
を具備することを特徴とするスプレー缶固定具。
【請求項２】
前記噴射ボタン押圧手段は、てこの作用により揺動する揺動部材、前記揺動部材の一端部に設けられ前記噴射ボタンと当接する当接部、前記揺動部材の他端部近傍に設置される滑車、利用者により操作される操作紐を有して構成され、
前記操作紐は、その一端部が前記揺動部材の他端部に固定され、中間部が前記滑車に掛けられ、他端部が前記操作棒の他端部近傍に垂下されることを特徴とする請求項１記載のスプレー缶固定具。
【請求項３】
前記ボタン位置調整手段は、前記当接部を有する部材を、前記揺動部材の長手方向に沿って摺動及び固定可能にする手段により構成されることを特徴とする請求項２記載のスプレー缶固定具。
【請求項４】
前記角度調整手段は、前記缶固定手段の一部から突出すると共に前記操作棒又は該操作棒に固定された部材と当接し、該缶固定手段からの突出量を変化可能になされた進退部材を有して構成され、該進退部材の突出量を大きくすることにより、前記缶固定手段と前記操作棒とのなす角度を大きくし、該進退部材の突出量を小さくすることにより、前記缶固定手段と前記操作棒とのなす角度を小さくするものであることを特徴とする請求項１〜３のいずれか１つに記載のスプレー缶固定具。
【請求項５】
前記角度調整手段は、扇形状に湾曲した長孔が形成されたガイド部材を有し、該ガイド部材が、前記缶固定手段を構成する部材と、前記操作棒又は該操作棒に固定された部材とに、前記長孔内のいずれかの場所において固定部材により固定され、該固定部材の該長孔内での固定場所を変化させることにより、前記缶固定手段と前記操作棒とのなす角度を変化させるものであることを特徴とする請求項１〜３のいずれか１つに記載のスプレー缶固定具。
【請求項６】
前記高さ調整手段は、前記スプレー缶の底面と当接する底面当接部材を、前記スプレー缶の側面と当接する側面当接部材に対して、前記操作棒の長手方向に沿って摺動及び固定可能にするものであることを特徴とする請求項１〜５のいずれか１つに記載のスプレー缶固定具。
【請求項７】
前記高さ調整手段は、前記スプレー缶が載置される缶載置部材を前記操作棒又は該操作棒に固定された部材に係止可能にする複数の凸部及び凹部の組み合わせからなる係止手段を有し、係止に使用する前記凸部及び凹部を選択することにより、前記缶載置部材の係止位置を決定するものであることを特徴とする請求項１〜５のいずれか１つに記載のスプレー缶固定具。
【請求項８】
前記操作棒の一端側と嵌合する凹部が段差形状を有していることを特徴とする請求項１〜７のいずれか１つに記載のスプレー缶固定具。
【発明の詳細な説明】
【技術分野】
【０００１】
本発明は、殺虫成分等を噴射するスプレー缶を棒状部材の一端側に固定すると共に他端側からの操作を可能にし、蜂の巣の撤去、害虫の駆除等の作業を補助するための道具に関するものである。
【背景技術】
【０００２】
樹木や家屋の軒等につくられた蜂の巣の撤去、害虫の駆除等を行う場合、作業者は安全性の確保のために、雨具、ゴム手袋、防護ネット等の防護具を着用し、殺虫スプレーを手に持ち、巣や害虫に近付いてこれらにスプレーを噴射することによって、撤去又は退治を行っている。
【０００３】
また、上記のような作業を補助するためものとして、長い金属竿の先端に、バネのついたハサミ状のものを付け、このハサミ状のものにスプレー缶をはさみ、竿の下からロープを引くことによって、スプレー缶のボタンを上方から押し、缶内の殺虫剤を噴射させるものであって、これにより手の届かない高い樹木や人の入れない所にいる害虫を殺傷できるとされるものが開示されている（特許文献１参照）。
【０００４】
また、高所や狭い所等の見え難い位置に潤滑油や塗料などの流体を送り込むための流体送込装置として、前記流体を送り込む流体送り手段と、前記位置の画像を得るための画像取得手段と、該画像取得手段で取得した画像を表示可能な画像表示手段と、前記流体送り手段及び前記画像取得手段を支持すると共に把持部を有する支持部材と、前記把持部を把持した状態で前記流体送り手段の遠隔操作が可能な操作部と、該操作部が操作されたときそれに対応して前記流体送り手段を操作する応答部とを備えることによって、画像表示手段に表示される画像を見ながら流体送り手段を遠隔操作することができ、高所や狭い所等の見え難い位置に正確に水、飲料、水溶液、薬品、油、塗料、又は殺虫剤等の任意の流体を送り込むことができるとされるものが開示されている（特許文献２参照）。
【特許文献１】実開平７−１８５８１号公報
【特許文献２】特開２００５−７４３０６号公報
【発明の開示】
【発明が解決しようとする課題】
【０００５】
上記特許文献１に開示されるような道具を用いることによって、蜂の巣等の危険な対象物から離れた場所からの作業が可能となり、また上記特許文献２に開示されるような装置を用いることによって、高所を見上げて作業する必要がなくなるため、安全性や作業性を向上させることができる。しかしながら、上記特許文献１及び２に開示されるものは、スプレー缶の形状に合わせた取付、棒状部材（支持部材）先端におけるスプレー缶の取付角度の調整等ができず、このような機能を備えた補助具が望まれていた。
【０００６】
そこで、本発明は、様々なスプレー缶の形状に対する適応、スプレー缶の取付角度の調整を可能としたスプレー缶固定具を提供することを目的とするものである。
【課題を解決するための手段】
【０００７】
上記課題の解決を図る本発明は、利用者により操作される操作棒の一端側にスプレー缶を固定する缶固定手段、前記操作棒の他端側において前記スプレー缶の噴射ボタンを押圧可能にする噴射ボタン押圧手段、前記噴射ボタン押圧手段の前記噴射ボタンと当接する部分の位置を変更可能にするボタン位置調整手段、前記缶固定手段により前記操作棒に固定される前記スプレー缶と該操作棒とのなす角度を変更可能にする角度調整手段、前記缶固定手段により前記操作棒に固定される前記スプレー缶の該操作棒の長手方向への位置変更を可能にする高さ調整手段を具備することを特徴とするスプレー缶固定具である（請求項１）。
【０００８】
この構成によれば、噴射ボタン押圧手段により、スプレー缶の噴射を危険な対象物から離れた場所から行うことができ、ボタン位置調整手段及び高さ調整手段により、様々なスプレー缶の形状、即ち噴射ボタンの形成位置、缶の大きさ等に対応することができ、角度調整手段により、障害物がある場合等の様々の使用状況に対応することができる。
【０００９】
また、上記請求項１記載の構成において、前記噴射ボタン押圧手段は、てこの作用により揺動する揺動部材、前記揺動部材の一端部に設けられ前記噴射ボタンと当接する当接部、前記揺動部材の他端部近傍に設置される滑車、利用者により操作される操作紐を有して構成され、前記操作紐は、その一端部が前記揺動部材の他端部に固定され、中間部が前記滑車に掛けられ、他端部が前記操作棒の他端部近傍に垂下されるものあることが好ましい（請求項２）。
【００１０】
この構成により、利用者は操作棒の下端近傍部に垂下された操作紐を下方へ引くことにより、滑車の作用により揺動部材の他端部が上方へ引き上げられると共に、てこの作用により当接部が設けられた揺動部材の一端部が下方へ移動し、スプレー缶の噴射ボタンが押圧される。これにより、利用者は操作棒の下端部からの噴射操作が可能となる。
【００１１】
また、上記請求項２記載の構成において、前記ボタン位置調整手段は、前記当接部を有する部材を、前記揺動部材の長手方向に沿って摺動及び固定可能にする手段により構成されることが好ましい（請求項３）。
【００１２】
この構成により、ボタンを押圧する当接部を、操作棒に対して略直角方向に変化させることができる。これにより、スプレー缶の太さに対応することができる。
【００１３】
また、上記請求項１〜３のいずれかに記載の構成において、前記角度調整手段は、前記缶固定手段の一部から突出すると共に前記操作棒又は該操作棒に固定された部材と当接し、該缶固定手段からの突出量を変化可能になされた進退部材を有して構成され、該進退部材の突出量を大きくすることにより、前記缶固定手段と前記操作棒とのなす角度を大きくし、該進退部材の突出量を小さくすることにより、前記缶固定手段と前記操作棒とのなす角度を小さくするものであることが好ましく（請求項４）、また、前記角度調整手段は、扇形状に湾曲した長孔が形成されたガイド部材を有し、該ガイド部材が、前記缶固定手段を構成する部材と、前記操作棒又は該操作棒に固定された部材とに、前記長孔内のいずれかの場所において固定部材により固定され、該固定部材の該長孔内での固定場所を変化させることにより、前記缶固定手段と前記操作棒とのなす角度を変化させるものであってもよい（請求項５）。
【００１４】
角度調整手段を上記のように構成することにより、確実且つ容易にスプレー缶の操作棒に対する取付角度を調整することができる。これにより、障害物がある場合等の様々な使用状況に対応することができる。
【００１５】
また、上記請求項１〜５のいずれかに記載の構成において、前記高さ調整手段は、前記スプレー缶の底面と当接する底面当接部材を、前記スプレー缶の側面と当接する側面当接部材に対して、前記操作棒の長手方向に沿って摺動及び固定可能にするものであることが好ましく（請求項６）、また、前記高さ調整手段は、前記スプレー缶が載置される缶載置部材を前記操作棒又は該操作棒に固定された部材に係止可能にする複数の凸部及び凹部の組み合わせからなる係止手段を有し、係止に使用する前記凸部及び凹部を選択することにより、前記缶載置部材の係止位置を決定するものであってもよい（請求項７）。
【００１６】
高さ調整手段を上記のように構成することにより、確実且つ容易にスプレー缶の操作棒の長手方向に沿った取付位置を調整することができる。これにより、様々なスプレー缶の縦方向の長さに対応することができる。
【００１７】
また、上記請求項１〜７のいずれかに記載の構成において、前記操作棒の一端側と嵌合する凹部が段差形状を有していることが好ましい（請求項８）。
【００１８】
これにより、様々な太さ、又は形状の操作棒を受け入れることができるので、例えば長さ等の異なる操作棒を複数用意し、現場において付け替えること等も容易に行うことができる。
【発明を実施するための最良の形態】
【００１９】
以下、添付した図面を参照して本発明の実施例を説明する。尚、異なる実施例において、同一又は同様の作用を奏する箇所については、その説明を省略する。
【実施例１】
【００２０】
図１に示すスプレー缶固定具１は、殺虫成分等を噴射可能なスプレー缶Ｓを固定し、蜂の巣や害虫等の対象物から離れた場所からスプレー缶Ｓを噴射する操作を可能にするものであり、操作棒２、頭部ケース３、柱状部材４、缶固定手段５、噴射ボタン押圧手段１０、ボタン位置調整手段１３、角度調整手段１６、高さ調整手段１９を具備して構成される。
【００２１】
操作棒２は、使用状況に合わせた適宜の長さを有し、アルミ等の軽量且つ堅牢な材質からなることが好ましく、その一端（上端）部に、頭部ケース３と連結する先端連結部２５が形成されている。
【００２２】
頭部ケース３は、図１に示すように側面視略三角形状を有しており、その下面側の端部に、操作棒２の先端連結部２５と連結する連結凹部２７が形成されると共に、内部に中空部２９が形成されている。この中空部２９内に、噴射ボタン押圧手段１０及びボタン位置調整手段１３が配置される。
【００２３】
柱状部材４は、その上端部３１が頭部ケース３の下面側に固定され、操作棒２と略平行に配される部材である。これら操作棒２と柱状部材４とは、固定バンド３２により互いに固定される。
【００２４】
缶固定部５は、側面当接部材３４、底面当接部材３５、固定バンド３６を有して構成されている。側面当接部材３４は、柱状部材４から延設される片部３８と、回転軸３９を介して角度変更が可能に連結されている。底面当接部材３５は、後述する高さ調整手段１９を介して、側面当接部材３４の下端部と連結しており、スプレー缶Ｓの底面と当接する部分にゴム層４０が配されている。これら側面当接部材３４及び底面当接部材３５に当接するように載置されたスプレー缶Ｓは、固定バンド３６により固定される。
【００２５】
噴射ボタン押圧手段１０は、図１及び図２に示すように、缶固定手段５に固定されたスプレー缶Ｓの噴射ボタン４１を遠隔的に、即ち操作棒２の下端部からの操作により押圧可能にするものであり、揺動部材４３、摺動押圧部４４、滑車４５、操作紐４６を有して構成されている。揺動部材４３は、筒状部４９と板状部５０とを有して構成され、頭部ケース３に固定された揺動軸５１により揺動可能に軸支されている。摺動押圧部４４は、一端部に噴射ボタン４１と当接する凸形状の当接部５３が形成され、他端部が揺動部材４３の筒状部４９内に摺動可能に挿入されると共にボルト等の固定部材５５により揺動部材４３の板状部５０に固定可能になされている。滑車４５は、頭部ケース３に固定された回転軸５７により回転可能に軸支されている。操作紐４６は、一端部が揺動部材４３の筒状部４９側の端部５９に固定され、中間部が滑車４５に掛けられると共に操作棒２に設けられた複数のリング６０（図１参照）を通され、他端部が操作棒２の下端付近に垂下されている。上記構成の噴射ボタン押圧手段１０により、利用者が操作棒２の下端付近で操作紐４６を下方へ引くことにより、図２中２点鎖線で示すように、操作紐４６と揺動部材４３との固定部が上方へ引き上げられると共に、摺動押圧部４４の当接部５３がてこの原理により下方へ移動し、この当接部５３によりスプレー缶Ｓの噴射ボタン４１が押圧される。
【００２６】
ボタン位置調整手段１３は、図３（ａ），（ｂ）に示すように、上記摺動押圧部４４を揺動部材４３に対して水平方向に摺動させ、任意の位置で固定可能にするものであり、固定部材５５、摺動溝６１を有して構成される。固定部材５５は、ボルト等の部材からなり、摺動押圧部４４に形成された螺合穴に螺合され、この摺動押圧部４４と共に移動する。摺動溝６１は、揺動部材４３の板状部５０に形成された長孔であり、その幅ｄが固定部材５５の頭部６５の径よりも小さいと共に、螺条部の径よりも大きく形成されている。上記構成のボタン位置調整手段１３によれば、固定部材５５を緩め、当接部５３が所望の位置となるように摺動押圧部材４４を移動させた後、固定部材５５を締め付けることにより、スプレー缶Ｓの噴射ボタン４１に適合した位置に当接部５３を設定することができる。
【００２７】
角度調整手段１６は、スプレー缶Ｓ（缶固定手段５）の固定角度の調整を可能にするものであり、図４に示すように、進退部材６８、調整ねじ６９を有して構成される。進退部材６８は、一端側が柱状部材４と当接する当接部７２、他端部が螺条部７３となっており、螺条部７３は側面当接部材３４に形成された螺条穴７４に螺合されている。調整ねじ６９は、進退部材６８の螺条部７３と噛み合う螺条部を有し、ドライバ等により時計及び半時計回りに回転可能に設けられている。上記構成により、調整ねじ６９を回転させることにより、進退部材６８を柱状部材４に対して進退させることができる。例えば、進退部材６８を柱状部材４の方向へ延ばすことにより、図５の二点鎖線で示すように、スプレー缶Ｓの固定角度を上向きに傾けることができる。尚、上記進退部材６８の螺条部７３及び調整ねじ６９の替りに、ラックとピニオン等を用いることもできる。
【００２８】
高さ調整手段１９は、スプレー缶Ｓ（底面当接部材３５）の設置位置を上下に調整可能にするものであり、図６に示すように、固定部材７５、摺動溝７６を有して構成される。固定部材７５は、ボルト等の部材からなり、側面当接部材３４に形成された螺条穴に螺合されている。摺動溝７６は、底面当接部材３５に形成された長孔である。上記構成の高さ調整手段１９によれば、固定部材７５を緩め、底面当接部材３５を所望の位置に移動させた後、固定部材７５を締め付けることにより、スプレー缶Ｓの高さ（長さ）に適合した状態にすることができる。
【００２９】
以上のように、本実施例に係るスプレー缶固定具１によれば、様々なスプレー缶Ｓの形状に対する適応、スプレー缶Ｓの取付角度の調整が可能となる。
【実施例２】
【００３０】
図７に示す本実施例に係るスプレー缶固定具８０は、上記実施例１とは異なる連結凹部８１、角度調整手段８２、高さ調整手段８３を有するものである。
【００３１】
本実施例に係る連結凹部８１は、図７に示すように、段差形状となっている。これにより、様々な操作棒８５の先端部の形状に対応することができるので、長さ、強度等の異なる操作棒８５を複数用意しておき、現場において付け替えること等が容易に可能となる。
【００３２】
本実施例に係る角度調整手段８２は、上記実施例１と同様に、スプレー缶を固定する缶固定手段８７の固定角度の調整を可能にするものであり、第１の柱状部材８９、第２の柱状部材９０、ガイド部材９１、湾曲長孔９２、第１の固定部材９３、第２の固定部材９４、蝶番９５を有して構成される。第１の柱状部材８９は、上記実施例１における柱状部材４と同様の作用を有する部材であり、操作棒８５と略平行に配され、固定バンド９６により固定される。第２の柱状部材９０は、その上端部が蝶番９５により第１の柱状部材９０と連結していると共に、スプレー缶が載置される載置部材９７が固定されている。ガイド部材９１は、湾曲した形状を有する板状の部材であり、このガイド部材８９に、湾曲した長孔状の湾曲長孔９２が形成されている。ガイド部材９１は、湾曲長孔９２内においてボルト等の第１の固定部材９３により柱状部材４に固定されると共に、ボルト等の第２の固定部材９４により第２の柱状部材９０に固定されている。上記構成の角度調整手段８２によれば、第１の固定部材９３又は第２の固定部材９４を緩め、第２の柱状部９０を所望の角度にした後、再び固定部材９３，９４を締め付けることにより、スプレー缶（缶載置部材９７）の固定角度を任意に調整することができる。
【００３３】
本実施例に係る高さ調整手段８３は、上記実施例１と同様に、スプレー缶の設置位置を上下に調整可能にするものであり、缶載置部材９７、係止凸部９８、係止凹部９９を有して構成される。缶載置部材９７は、側面視略Ｌ字形状の部材であり、上記実施例１における側面当接部材３４及び底面当接部材３５と同様の作用を奏するものである。係止凸部９８は、缶載置部材９７を第２の柱状部材９０に係止させるための部分であり、缶載置部材９７の側面当接部１００の第２の柱状部材９０側の面に上下２つ形成されている。係止凹部９９は、係止凸部９８を受け入れる部分であり、第２の柱状部材９０の缶載置部材９７と対面する面に形成されている。また、係止凹部９９は、図８に示すように、第１の凹部１０３、第２の凹部１０４、第３の凹部１０５、着脱用凹部１０６、連通溝１０７からなる凹部群１０８を有して構成されている。この凹部群１０８が、上下２つの係止凸部９８のそれぞれに対応する位置に形成されている。この構成により、係止凸部９７を着脱用凹部１０６から挿入し、連通溝１０７を通して第１〜第３の凹部１０３，１０４，１０５のうちから任意の凹部に係止させることにより、缶載置部材９７の固定位置を任意に調整することができる。
【図面の簡単な説明】
【００３４】
【図１】本発明の実施例１に係るスプレー缶固定具の全体的構造を示す図である。
【図２】実施例１における噴射ボタン押圧手段の構造を示す図である。
【図３】実施例１におけるボタン位置調整手段の構造を示す図である。
【図４】実施例１における角度調整手段の構造を示す図である。
【図５】実施例１における角度調整手段の作動例を示す図である。
【図６】実施例１における高さ調整手段の構造及び作動例を示す図である。
【図７】本発明の実施例２に係るスプレー缶固定具の要部の構造を示す図である。
【図８】実施例２における係止凹部の構造を示す図である。
【符号の説明】
【００３５】
１，８０  スプレー缶固定具
２  操作棒
３  頭部ケース
５  缶固定手段
１０  噴射ボタン押圧手段
１３  ボタン位置調整手段
１６，８２  角度調整手段
１９，８３  高さ調整手段
４６  操作紐
Ｓ  スプレー缶
【図１】
2007275028.tif 000003
【図２】
2007275028.tif 000004
【図３】
2007275028.tif 000005
【図４】
2007275028.tif 000006
【図５】
2007275028.tif 000007
【図６】
2007275028.tif 000008
【図７】
2007275028.tif 000009
【図８】
2007275028.tif 000010